【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
有利状態に制御するか否かを、可変表示の表示結果を導出表示する前に決定する事前決定手段と、
前記事前決定手段の決定にもとづいて、可変表示が開始されてから表示結果が導出表示されるまでに可変表示を仮停止させた後に可変表示を再度実行する再可変表示を１回または複数回実行する再可変表示パターンを含むあらかじめ定められた複数種類の可変表示パターンの中から１つの可変表示パターンを決定する可変表示パターン決定手段と、
前記可変表示パターン決定手段が決定した可変表示パターンにもとづいて、可変表示を実行する可変表示制御手段と、
未だ開始していない可変表示について保留記憶として複数記憶可能な保留記憶手段と、
前記保留記憶手段が記憶している保留記憶と同数の保留表示を表示可能な保留表示手段と、
前記保留表示手段における前記保留表示の表示態様を制御する保留表示制御手段と、
前記再可変表示パターンを含む可変表示パターンにもとづいて可変表示を実行している場合に、可変表示が仮停止する前に、前記再可変表示パターンにもとづく可変表示が実行されていることを予告する再可変表示予告手段とを備え、
前記保留表示制御手段は、
前記保留表示を第１表示態様で前記保留表示手段に表示させる第１表示態様制御手段と、
可変表示における仮停止後の再可変表示を行うときに、表示される前記保留表示の数を変えることなく、前記保留表示の表示態様を前記第１表示態様から第２表示態様に変更する第２表示態様制御手段とを含む
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御するパチンコ遊技機等の遊技機に関する。
【手続補正３】
【補正対象書類名】明細書
【補正対象項目名】００１１
【補正方法】変更
【補正の内容】
【００１１】
本発明による遊技機は、可変表示を行い、遊技者にとって有利な有利状態（例えば、大当り遊技状態）に制御する遊技機であって、有利状態に制御するか否かを、可変表示の表示結果を導出表示する前に決定する事前決定手段（例えば、遊技制御用マイクロコンピュータ５６０において、ステップＳ６１の処理を実行する部分）と、事前決定手段の決定にもとづいて、可変表示が開始されてから表示結果が導出表示されるまでに可変表示を仮停止させた後に可変表示を再度実行する再可変表示を１回または複数回実行する再可変表示パターン（例えば、「擬似連」の演出を含む変動パターン）を含むあらかじめ定められた複数種類の可変表示パターン（例えば、変動パターン）の中から１つの可変表示パターンを決定する可変表示パターン決定手段（例えば、遊技制御用マイクロコンピュータ５６０において、ステップＳ１０１〜Ｓ１０５の処理を実行する部分）と、可変表示パターン決定手段が決定した可変表示パターンにもとづいて、可変表示を実行する可変表示制御手段（例えば、演出制御用マイクロコンピュータ１００において、ステップＳ８３２〜Ｓ８３５およびステップＳ８６３〜Ｓ８６５の処理を実行する部分）と、未だ開始していない可変表示について保留記憶として複数記憶可能な保留記憶手段（例えば、保留数カウンタ）と、保留記憶手段が記憶している保留記憶と同数の保留表示を表示可能な保留表示手段（例えば、特別図柄保留記憶表示器１８や保留記憶表示部１８ｃ）と、保留表示手段における保留表示の表示態様を制御する保留表示制御手段（例えば、演出制御用マイクロコンピュータ１００において、図４９，図５０に示す保留記憶表示制御処理を実行する部分）と、再可変表示パターンを含む可変表示パターンにもとづいて可変表示を実行している場合に、可変表示が仮停止する前に、再可変表示パターンにもとづく可変表示が実行されていることを予告する再可変表示予告手段とを備え、保留表示制御手段は、保留表示を第１表示態様で保留表示手段に表示させる第１表示態様制御手段（例えば、演出制御用マイクロコンピュータ１００において、ステップＳ９０２の処理を実行する部分）と、可変表示における仮停止後の再可変表示を行うときに、表示される保留表示の数を変えることなく、保留表示の表示態様を第１表示態様から第２表示態様に変更する第２表示態様制御手段（例えば、演出制御用マイクロコンピュータ１００において、ステップＳ９０８，Ｓ９０９，Ｓ９２３，Ｓ９２４，Ｓ９２７の処理を実行する部分）とを含むことを特徴とする。
【手続補正４】
【補正対象書類名】明細書
【補正対象項目名】００１２
【補正方法】変更
【補正の内容】
【００１２】
可変表示制御手段が再可変表示パターンにもとづいて可変表示を実行することに対応して実行される再可変表示演出として、第１再可変表示演出（例えば、図１４に示す擬似連Ａのパターンの演出）と、第１再可変表示演出と異なる態様の第２再可変表示演出（例えば、図１４に示す擬似連Ｂのパターンの演出）と、第１再可変表示演出と第２再可変表示演出とが組み合わされた第３再可変表示演出（例えば、図１４に示す擬似連Ｃのパターンの演出）とを実行可能な再可変表示演出制御手段（例えば、演出制御用マイクロコンピュータ１００において、擬似連変動に応じたプロセステーブルを用いてステップＳ８３３〜Ｓ８３４，Ｓ８６３〜Ｓ８６５の処理を実行する部分）と、再可変表示演出として、第１再可変表示演出、第２再可変表示演出または第３再可変表示演出を選択する再可変表示演出選択手段（例えば、遊技制御用マイクロコンピュータ５６０において、図１２（Ａ），（Ｂ）に示すテーブルを用いてステップＳ１０４の処理を実行する部分）とを備え、再可変表示演出選択手段は、事前決定手段が有利状態に制御することに決定したときには、再可変表示演出として、第１再可変表示演出および第２再可変表示演出よりも高い割合で第３再可変表示演出を選択する（例えば、図１２（Ｂ）に示すテーブルに対して、図１２（Ａ）に示すテーブルにおいて、擬似連Ｃの変動パターンが選択されやすい）ように構成されていてもよい。
第２表示態様制御手段は、所定の場合に、保留表示の表示態様を第１表示態様から第２表示態様に変更しないように構成されていてもよい。
可変表示制御手段が再可変表示パターン以外の可変表示パターンにもとづいて可変表示を行うときに、保留表示の表示態様を第１表示態様から第２表示態様に変更する第３表示態様制御手段を備えていてもよい。
第１表示態様から第２表示態様に変更された保留表示の表示態様を第１表示態様に戻す第４表示態様制御手段を備えていてもよい。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
可変表示状態を所定のリーチ状態とするか否かを決定するリーチ決定手段（例えば、遊技制御用マイクロコンピュータ５６０において、ステップＳ９５〜Ｓ９９の処理を実行する部分）を備え、可変表示パターン決定手段は、リーチ決定手段によってリーチ状態とする旨の決定がなされたことに対応して、可変表示パターンを、再可変表示パターンを含むリーチ可変表示パターンを決定可能であり（図１２（Ｂ）参照）、リーチ決定手段によってリーチ状態としない旨の決定がなされたことに対応して、可変表示パターンを、再可変表示パターンを含む非リーチ可変表示パターンに決定可能である（はずれ変動パターンが複数種類定められ、はずれ変動パターンに擬似連変動を伴うはずれ変動パターンが含まれている変形例）ように構成されていてもよい。
【手続補正７】
【補正対象書類名】明細書
【補正対象項目名】００１９
【補正方法】変更
【補正の内容】
【００１９】
請求項１記載の発明では、遊技機を、保留表示制御手段が、保留表示を第１表示態様で保留表示手段に表示させる第１表示態様制御手段と、識別情報の可変表示における仮停止後の再可変表示を行うときに、表示される保留表示の数を変えることなく、保留表示の表示態様を第１表示態様から第２表示態様に変更する第２表示態様制御手段とを含むように構成したので、再可変表示演出がなされていることを遊技者に気付かせることができ、再可変表示演出による演出効果を向上させて遊技の興趣を向上させることができる効果がある。
また、可変表示制御手段が再可変表示パターンを含む可変表示パターンにもとづいて識別情報の可変表示を実行しているときに、識別情報が仮停止する前に、再可変表示パターンにもとづく識別情報の可変表示が実行されていることを予告する再変動継続予告手段を備えている場合には、再変動が継続されることを遊技者に認識させることができ、再変動演出による演出効果をさらに向上させて遊技の興趣をさらに向上させることができる。
【手続補正８】
【補正対象書類名】明細書
【補正対象項目名】００２０
【補正方法】変更
【補正の内容】
【００２０】
また、再可変表示演出選択手段が、事前決定手段が有利状態に制御することに決定したときには、再可変表示演出として、第１再可変表示演出および第２再可変表示演出よりも高い割合で第３再可変表示演出を選択するように構成されているので、複数種類の再可変表示演出態様によって再可変表示演出による演出効果を向上させることができる。また、有利状態の信頼度に連動した再可変表示演出が実行され、再可変表示演出による演出効果をより向上させることができる。
【手続補正９】
【補正対象書類名】明細書
【補正対象項目名】００２５
【補正方法】削除
【補正の内容】